(57)【要約】本発明は開放可能及び再封止可能な側部パネル（８，９）を有する使い捨ておむつパンツ又は使い捨てタイプの衛生パンティの製造方法であって、各々が液体透過性材料の内部カバーシート（２）と液体不透過性材料の外部カバーシ−ト（３）の間に封入された吸収体（１）を含みかつ前部分（４）及び後部分（５）及び中間股部分（６）を有する相互接続されたおむつパンツブランクのウェブを、内部又は外部カバーシート材料の連続ウェブ上に適用される吸収体の列によって形成し、その後外部又は内部カバーシート材料の連続ウェブが吸収体を有するウェブに適用され、吸収体の外側にあるウェブの部分に固定される、工程を含み、下記工程を特徴とする方法に関する：ａ）各々が脱着可能及び再封止可能な接続（１４）によって互いに接続された二つの部分を含む第一分離側部パネル（１０）を、おむつパンツブランクの前部分（４）又は後部分（５）の側部に固定し、ｂ）第二分離側部パネル（１１）を、第一側部パネルを与えられていないか又は第一側部パネルを与えることを意図されていないおむつパンツブランクの前部分又は後部分のそれらの側部に固定し、その後ｃ）側部パネルを与えられた個々のおむつパンツブランクを、相互接続されたおむつパンツブランクのウェブから切り出し、ｄ）各おむつパンツブランクを股部分において横軸のまわりに折りたたみ、かくしてブランクの前及び後部分が互いに対して横たわり、その後ｅ）互いに方へ折りたたまれた各おむつパンツブランクの第一及び第二側部パネルを互いに固定する。本発明はまた、前記方法によって製造されるおむつパンツに関する。
2005521475.tif 000002
【特許請求の範囲】
【請求項１】
開放可能及び再封止可能な側部パネル（８，９）を有する使い捨ておむつパンツ又は使い捨てタイプの衛生パンティの製造方法であって、各々が液体透過性材料の内部カバーシート（２）と液体不透過性材料の外部カバーシ−ト（３）の間に封入された吸収体（１）を含みかつ前部分（４）及び後部分（５）及び中間股部分（６）を有する相互接続されたおむつパンツブランクのウェブを、内部又は外部カバーシート材料の連続ウェブ上に適用される吸収体の列によって形成し、その後外部又は内部カバーシート材料の連続ウェブが吸収体を有するウェブに適用され、吸収体の外側にあるウェブの部分に固定される、工程を含み、下記工程を特徴とする方法：
ａ）各々が脱着可能及び再封止可能な接続（１４）によって互いに接続された二つの部分を含む第一分離側部パネル（１０）を、おむつパンツブランクの前部分（４）又は後部分（５）の側部に固定し、
ｂ）第二分離側部パネル（１１）を、第一側部パネルを与えられていないか又は第一側部パネルを与えることを意図されていないおむつパンツブランクの前部分又は後部分のそれらの側部に固定し、その後
ｃ）側部パネルを与えられた個々のおむつパンツブランクを、相互接続されたおむつパンツブランクのウェブから切り出し、
ｄ）各おむつパンツブランクを股部分において横軸のまわりに折りたたみ、かくしてブランクの前及び後部分が互いに対して横たわり、その後
ｅ）互いの方へ折りたたまれた各おむつパンツブランクの第一及び第二側部パネルを互いに固定する。
【請求項２】
吸収体の前及び後部分が吸収体の列の隣接吸収体（１′）において互いの方へ向けられるように吸収体（１′）が配置されること、及び隣接おむつパンツブランクの第一（１０′）及び第二（１１′）側部パネルが相互に隣接する前（４′）及び後（５′）部分の両方を横切って延びることを特徴とする請求項１に記載の方法。
【請求項３】
第一（１０）及び第二（１１）側部パネルをおむつパンツブランクの外部（３）又は内部（２）カバーシートに固定することを特徴とする請求項１又は２に記載の方法。
【請求項４】
第一（１０）及び第二（１１）側部パネルを、外部（３）及び内部（２）カバーシートの間に置き、これらのシートの両方に固定することを特徴とする請求項１又は２に記載の方法。
【請求項５】
側部パネル（１０，１１）が少なくとも部分的に弾性材料からなることを特徴とする請求項１〜４のいずれかに記載の方法。
【請求項６】
各第一側部パネル（１０）の二つの部分を互いに接続する脱着可能及び再封止可能な接続（１４）が子供がいたずらできない接続からなることを特徴とする請求項１〜５のいずれかに記載の方法。
【請求項７】
前部分（４）、後部分（５）及び中間股部分（６）を有する使い捨ておむつパンツ又は使い捨てタイプの衛生パンティであって、それが液体透過性材料の内部カバーシート（２）と液密材料の外部カバーシート（３）の間に封入された吸収体（１）、及び吸収体の両側上で内部及び外部カバーシートの外側に延びかつおむつパンツの前及び後部分を互いに接続する別個の側部パネル（８，９）を含み、かくしておむつパンツが腰開口及び二つの脚開口を有するパンツ状構成を取得し、その側部パネルが継目（１７，１８）によって互いに接続される前及び後部分（１０，１１）を含むものにおいて、各側部パネル（８，９）が弾性であり、脱着可能及び再封止可能な接続部材（１４）によって互いに接続される二つの部分（１２，１３）を含むことを特徴とするおむつパンツ又は衛生パンティ。
【請求項８】
脱着可能及び再封止可能な接続（１４）が子供がいたずらできない接続部材からなることを特徴とする請求項７に記載のおむつパンツ又は衛生パンティ。
【請求項９】
脱着可能及び再封止可能な接続に加えて、各側部パネルは第二の子供がいたずらできない接続も含み、それは脱着可能でありかつ側部パネルを初めて開放したときに破壊されることを特徴とする請求項７に記載のおむつパンツ又は衛生パンティ。
【請求項１０】
弾性側部パネル（８，９）が、接続部材（１４）の部分（１５，１６）が固定される区域において非弾性材料の部分を含むことを特徴とする請求項７，８又は９に記載のおむつパンツ又は衛生パンティ。
【請求項１１】
子供がいたずらできない接続を開放するために必要とされる力が４Ｎより大きい、好ましくは６Ｎより大きい、さらに好ましくは８Ｎより大きい、最も好ましくは１０Ｎより大きく２０Ｎより小さい、好ましくは１５Ｎより小さいことを特徴とする請求項８又は９に記載のおむつパンツ又は衛生パンティ。
【請求項１２】
脱着可能及び再封止可能な接続部材（１４）によって互いに接続される各側部パネル（８，９）の二つの部分（１２，１３）の重複部が接続部材を越えて突出し、かつ３〜７ｍｍ、好ましくは４〜６ｍｍの範囲で把持タブを形成することを特徴とする請求項７〜１１のいずれかに記載のおむつパンツ又は衛生パンティ。
【発明の詳細な説明】
【技術分野】
【０００１】
本発明は開放可能及び再封止可能な側部パネルを有する使い捨ておむつパンツ又は使い捨てタイプの衛生パンティの製造方法であって、各々が液体透過性材料の内部カバーシートと液体不透過性材料の外部カバーシ−トの間に封入された吸収体を含みかつ前部分及び後部分及び中間股部分を有する相互接続されたおむつパンツブランクのウェブを、内部又は外部カバーシート材料の連続ウェブ上に適用される吸収体の列によって形成し、その後外部又は内部カバーシート材料の連続ウェブが吸収体を有するウェブに適用され、吸収体の外側にあるウェブの部分に固定される、工程を含む方法、及びこの方法によって製造される使い捨ておむつパンツ又は使い捨て衛生パンティに関する。
【背景技術】
【０００２】
開放可能及び再封止可能な側部パネルを有するおむつパンツは従来のおむつパンツと従来のおむつの利点を併せ持つ。それらは封止された側部パネルを伴って製造され、従来のおむつパンツのようにアンダーパンツと同様の方法で脱いだり履いたりすることができる。開放可能である側部パネルによって、それらは従来のおむつと同様の方法で脱ぐこともでき、その結果としておむつパンツを換えるときに幼児の汚れを避けることができる。さらに、それらが再封止可能であるという事実はおむつパンツを換える必要があるかどうかをチェックするために親がおむつパンツを開放でき、もしおむつパンツを換える必要がないなら再びおむつパンツを封止できることを意味する。それゆえ、かかるおむつパンツを経済的な方法で製造できることが有利である。
【０００３】
ＷＯ  ９９／６５４３９，ＷＯ  ９９／６５４４１，ＷＯ  ００／３７００７及びＷＯ  ００／３７０１０は全て、吸収体を封入するおむつパンツのユニットの側部に対して脱着可能及び再封止可能な方法で側部パネルが固定されるおむつパンツを製造するための方法を開示する。これらの方法は側部パネルを適用するときに高い精度を要求し、それらはまた、開放可能及び再封止可能な接続を子供がいたずらできない接続として設計することを困難にする。
【０００４】
本発明の目的は開放可能及び再封止可能な側部パネルを有する使い捨ておむつパンツ又は使い捨てタイプの衛生パンティの製造方法を利用可能にすることであり、前記方法は連続して配置される連続おむつパンツブランクのウェブに側部パネルを適用するための従来公知の方法においてより低い精度を要求するものである。さらなる目的はウェブから個々のおむつパンツブランクを切断するための要求精度を低下すること、及び簡単な方法で子供がいたずらできない接続の適用を可能とすることである。
【発明の開示】
【０００５】
本発明によれば、これらの目的は開放可能及び再封止可能な側部パネルを有する使い捨ておむつパンツ又は使い捨てタイプの衛生ナプキンの製造方法であって、
各々が液体透過性材料の内部カバーシートと液体不透過性材料の外部カバーシ−トの間に封入された吸収体を含みかつ前部分及び後部分及び中間股部分を有する相互接続されたおむつパンツブランクのウェブを、内部又は外部カバーシート材料の連続ウェブ上に適用される吸収体の列によって形成し、その後外部又は内部カバーシート材料の連続ウェブが吸収体を有するウェブに適用され、吸収体の外側にあるウェブの部分に固定される、工程を含み、下記工程を特徴とする方法によって達成される：
ａ）各々が脱着可能及び再封止可能な接続によって互いに接続された二つの部分を含む第一分離側部パネルを、おむつパンツブランクの前部分又は後部分の側部に固定し、
ｂ）第二分離側部パネルを、第一側部パネルを与えられていないか又は第一側部パネルを与えることを意図されていないおむつパンツブランクの前部分又は後部分のそれらの側部に固定し、その後
ｃ）側部パネルを与えられた個々のおむつパンツブランクを、相互接続されたおむつパンツブランクのウェブから切り出し、その後
ｄ）各おむつパンツブランクを股部分において横軸のまわりに折りたたみ、かくしてブランクの前及び後部分が互いに対して横たわり、その後
ｅ）互いの方へ折りたたまれた各おむつパンツブランクの第一及び第二側部パネルを互いに固定する。
【０００６】
脱着可能及び再封止可能な接続が二つの部分の前又は後側部パネルで作られることによって、脱着可能及び再封止可能な接続は組立てられた状態でおむつパンツ製造のための加工ラインに送出されることができ、それは接続の封止が加工ラインで行われる状況と比較すると加工ラインの精度条件を低下する。さらに、かかるデザインは接続が加工ラインの外で子供がいたずらできないようにすることができることを意味し、それは製造技術の見地から有利である。
【０００７】
好ましい例では、吸収体の前及び後部分が吸収体の列の隣接吸収体において互いの方へ向けられるように、及び隣接おむつパンツブランクの第一及び第二側部パネルが相互に隣接する前及び後部分の両方を横切って延びるように吸収体が配置される。第一及び第二側部パネルはおむつパンツブランクの外部又は内部カバーシートに固定される。あるいは、第一及び第二側部パネルはおむつパンツブランクの外部及び内部カバーシートの間に置かれ、これらのシートの両方に固定される。さらに、側部パネルは少なくとも部分的に弾性材料からなり、各第一側部パネルの二つの部分を互いに接続する脱着可能及び再封止可能な接続は好ましくは子供がいたずらできない接続からなる。
【０００８】
本発明はまた、前部分、後部分及び中間股部分を有する使い捨ておむつパンツ又は使い捨てタイプの衛生パンティであって、それが液体透過性材料の内部カバーシートと液密材料の外部カバーシートの間に封入された吸収体、及び吸収体の両側上で内部及び外部カバーシートの外側に延びかつおむつパンツの前及び後部分を互いに接続する別個の側部パネルを含み、かくしておむつパンツが腰開口及び二つの脚開口を有するパンツ状構成を取得し、その側部パネルが継目によって互いに接続される前及び後部分を含むものにおいて、各側部パネルが弾性であり、かつ脱着可能及び再封止可能な接続部材によって互いに接続される二つの部分を含むことを特徴とするおむつパンツ又は衛生パンティに関する。
【０００９】
好ましい例では、脱着可能及び再封止可能な接続は子供がいたずらできない接続部材からなる。あるいは、脱着可能及び再封止可能な接続に加えて、各側部パネルは第二の子供がいたずらできない接続を含み、それは脱着可能であり、側部パネルを初めて開放すると破壊される。子供がいたずらできない接続を開放するために必要とされる力は４Ｎより大きい、好ましくは６Ｎより大きい、さらに好ましくは８Ｎより大きい、最も好ましくは１０Ｎより大きく２０Ｎより小さい、好ましくは１５Ｎより小さい。さらに、弾性側部パネルは接続部材の部分が固定されるそれらの区域に非弾性材料の部分を含む。
【００１０】
図面の簡単な記述
本発明は添付図面を参照して記載されるだろう。
図１及び２は本発明の第一例によるおむつパンツを製造するための配置の側面図及び平面図をそれぞれ概略的に示す。
図３は図１及び２による配置で製造されるおむつパンツの概略的透視図を示す。
図４は図３の線ＩＶ−ＩＶに沿った横断面図を示す。
図５及び６は本発明の第二例による配置の図１及び２と同様の図を示す。
図７は接続の子供がいたずらできない性質を試験するための方法の概略図である。
【発明を実施するための最良の形態】
【００１１】
図１及び２は図３によるおむつパンツを製造するための配置の概略図である。図３に示されたパンツおむつは液体透過性材料の内部カバーシート２と液密材料の外部カバーシート３の間に封入された吸収体１を含む。カバーシート２及び３は吸収体の外側にある部分における接着剤結合又は溶接によって互いに接続される。カバーシート及び吸収体によって形成されるユニット７は前部分４、後部分５及び中間の狭い股部分６を有する。おむつパンツ３はまた、吸収体の同じ側上にあるユニット７の前及び後部分の間に延びる側部パネル８，９を含み、おむつパンツがアンダーパンツと同様の形をとるようにこれらの部分を互いに接続する。
【００１２】
側部パネル８，９は各々、前側部パネル１０及び後側部パネル１１を含み、それらは外側の継目１７，１８によって互いに接続される。継目１７，１８は溶接継目からなることが好ましいが、接着剤継目であることもできる。前側部パネル１０は各々、二つの部分１２，１３から作られ、それらの部分は脱着可能及び再封止可能な機械的接続１４によって互いに接続され、それは示された例ではベルクロタイプのもの、即ち、一方の部分１３は固定要素の表面から外側に突出する多数のフックを有する固定要素１５（又は雄要素）を与えられ、他方の部分１２はフックが係合する多数のループ又はアイレットを有する固定要素１６（又は雌要素）を与えられる。示された図示例では、雄要素のフックの幾つかはまた雌要素にしっかりと接続される。例えば点溶接によって雌要素にしっかりと溶接される。このようにして幼児が開放することが困難であるか又は不可能であるが大人が開放することが容易である接続を得ることができる。実際、幼児はそれらのおむつパンツを操作することを好み、この理由のため子供がいたずらできない接続に対する必要性があることが見出された。溶接点の数は、かかる接続を開放するために必要とされる力が、子供がいたずらできないことを確実にし、しかも大人が接続を容易に開放できるために、４Ｎより大きい、好ましくは６Ｎより大きい、より好ましくは８Ｎより大きい、最も好ましくは１０Ｎより大きいが２０Ｎより小さい、好ましくは１５Ｎより小さくなるように選択されるべきである。開放する力は、重複される接続の二つの部分の部分に重りを結合し、その後重複する部分の把持部分をつかみ、次いで接続を持ち上げることによって、図７に概略的に示された方法で容易に測定されることができる。もし重りが接続開放なしで３０秒より長い間接続から垂れ下がったままであるなら、その接続は重りを保持するのに十分であると考える。
【００１３】
子供がいたずらできない面に影響する別の要因は把持タブの長さ、即ち接続を越えて突出する重複する側部パネルの部分の長さ（図７参照）である。もし把持タブが７ｍｍより短いなら、子供自身が接続を開放することは極めて難しい。この理由のため、把持タブの長さは３〜７ｍｍ、好ましくは４〜６ｍｍにすべきである。
【００１４】
子供がいたずらできないことは、機械的接続１４の外側に、前側部パネルの二つの部分１２，１３の重複部分が上記に従った開放力を有する第二の開放可能であるが再封止可能でない接続、例えば溶接接続又は接着剤接続によって互いに接続されることによって別の方法で得られることもできる。この種の第二接続は側部パネルが初めて開放されるときに破壊される。二つの部分１２，１３の重複部分の最外縁部分は側部パネルの下にある部分にしっかり接続されることもでき、その場合において開放は接続１４としっかりと接続された最外縁部分の間に位置される重複部分における弱化線によって得られる。
【００１５】
側部パネル８，９は弾性であり、弾性材料から作られることが好ましい。しかしながら、固定要素１５，１６を含む部分では、側部パネルは固定要素の取り付けを簡単にするために非弾性材料から作られることが好ましい。弾性材料はポリウレタン、コポリエーテルエステル、ポリアミド−ポリエーテルブロックコポリマー、エチレンビニルアセテート（ＥＶＡ）などのブロックポリマー（“ｓｐａｎｄｅｘ”としても知られるＬＹＣＲＡ（登録商標）の名称の下でＥ．Ｉ．Ｄｕ  Ｐｏｎｔ  ｄｅ  Ｎｅｍｏｕｒｓ  Ｃｏ．，米国から入手可能なポリウレタンを含む）；弾性スチレン−ブタジエンコポリマー（Ｈｏｕｓｔｏｎ，Ｔｅｘａｓ、米国のＳｈｅｌｌ  Ｃｈｅｍｉｃａｌ  Ｃｏｍｐａｎｙから入手可能なＫＲＡＴＯＮ（登録商標）材料のようなものを含む）；テトラブロックコポリマー（商品名ＫＲＡＴＯＮ（登録商標）の下でＨｏｕｓｔｏｎ，Ｔｅｘａｓ、米国のＳｈｅｌｌ  Ｃｈｅｍｉｃａｌ  Ｃｏｍｐａｎｙから入手可能な弾性スチレン−ポリ（エチレンプロピレン）を含む）；ポリアミド（商品名ＰＥＢＡＸ（登録商標）の下でＡｔｏ  Ｃｈｅｍｉｃａｌ  Ｃｏｍｐａｎｙ、米国から入手可能なポリエーテルブロックアミドを含む）；ポリエステル（例えば商品名ＨＹＴＲＥＬ（登録商標）の下でＥ．Ｉ．Ｄｕ  Ｐｏｎｔ  ｄｅ  Ｎｅｍｏｕｒｓ  Ｃｏ．米国から入手可能なもの）；シングルサイト（ｓｉｎｇｌｅ  ｓｉｔｅ）又はメタロセン触媒ポリマー（商品名ＡＦＦＩＮＩＴＹ（登録商標）の下でＤｏｗ  Ｃｈｅｍｉｃａｌ  Ｃｏ．，米国から約０．８９グラム／ｃｍ３未満の密度を有するシングルサイト又はメタロセン触媒ポリオレフィンを含む）；及び天然及び合成ゴムから作られた弾性体からなることができる。非弾性材料は不織材料、例えばスパンボンド不織布、カードされた不織布、メルトブローされた不織布又は不織積層体、例えばスパンボンド−メルトブロー−スパンボンド（ＳＭＳ）積層体からなることができる。不織材料を作り上げるために使用される繊維はポリオレフィン、例えばポリエチレン又はポリプロピレン、又はポリエステルの繊維からなることができる。さらに、不織材料は幾つかの異なるタイプの繊維の混合物、又はコポリマーと称される幾つかの異なるポリマーからなる繊維からなることができる。また、非弾性材料はプラスチックフィルムであることもできる。それゆえ、好ましい例では、前側部パネル１０を構成する二つの脱着可能な部分１２，１３の少なくとも部分１３は少なくとも二つの部分から作り上げられる。しかしながら、簡単のため、部分１３は図面において単一材料片として示される。側部パネルの材料は快適性を向上するため空気透過性であることができる。
【００１６】
弾性側部パネルの目的はおむつパンツに良好な適合を与えることである。側部パネルはもちろん必要最小限の弾性力を与えるように寸法決定されることが注意されるべきである。それゆえ側部パネルも固定要素以外の位置に非弾性材料の部分を有することが考えられる。
【００１７】
側部パネルのための材料として、二つの不織シートを使用し、その間に弾性材料、弾性バンド又は弾性糸を延伸された状態で固定することも考えられる。かかる材料を用いると、側部パネルの弾性及び非弾性部分はかかる弾性材料を有する又は有さない部分からなる。
【００１８】
脱着可能及び再封止可能な接続１４へのアクセスを改良するために、前側部パネル１０の部分１３はそれらとそれぞれ協働する部分１２より円周方向においてかなり大きな範囲を有する。この方法では、接続１４はおむつパンツの前上に位置され、それは仰向けになっている幼児からおむつパンツを開くか又は脱がせたい親にとってそれらへのアクセスを容易にする。図３に示された例では、円周方向に小さな範囲を有する部分１２は全体的に非弾性材料、例えば不織布から作られることが有利である。
【００１９】
部分１３は部分１２の代わりに円周方向において小さな範囲を有することもでき、その場合において接続１４は側部継目１７，１８に近いだろう。かかる設計では、接続は使用者の側上に位置され、従って取扱うことはより難しい。しかしながら、かかる設計は装着者に対してわずかに良好な快適性を与え、摩擦の危険を減らす。前側部パネルの代わりに後側部パネルにおいて脱着可能及び再封止可能な接続を配置することもできる。
【００２０】
図３からわかるように、ユニット７は一以上の弾性糸からなる脚弾性体も含み、それらの弾性糸はカバーシート２，３の間に配置され、吸収体１の両側上に延伸された状態でこれらに固定される。
【００２１】
液体透過性カバーシート２は例えばスパンボンドポリプロピレンの不織布からなる。合成及び／又は天然繊維の不織布、有孔プラスチックシート又はかかる材料の積層体の如き、吸収物品の液体透過性カバーシート、いわゆる上部シートのために使用される他の材料はもちろんカバーシート２として使用されることもできる。
【００２２】
液密外部カバーシート３は好ましくは呼吸可能なタイプのプラスチックシート、又はプラスチックシートと不織布の積層体からなることができる。吸収物品のためのいわゆる下部シートとして使用される全ての材料を使用することができる。
【００２３】
吸収体１は超吸収材及び／又は結合材繊維の添加混合のある又はないセルロース繊維の層を含むことが好ましい。発泡された材料又はピートモスの如き他の材料を使用することができる。吸収体は幾つかの層から作られることもでき、有利には高い透過性を有する材料の層、例えば詰物を含む。
【００２４】
図３によるおむつパンツの製造方法の例は図１及び２を参照して記載されるだろう。図３のおむつパンツとの比較を簡単にするため、図１及び２の構成要素は図３の完成したおむつパンツの対応する構成要素と同じ参照符号を与えられている。例えば図１及び２の液体透過性材料のウェブは完成したおむつパンツのカバーシート２と同じ参照符号を与えられている。
【００２５】
図３によるおむつパンツは次のようにして製造される。
吸収体１はマット形成車輪（図示せず）に形成された吸収体１が付着された輸送車輪１９の助けで液体透過性材料の走行する材料ウェブ２上に置かれる。もし吸収体１が材料ウェブ２の進行と同期して形成されることができるなら、輸送車輪は省略されることができ、車輪１９はマット形成車輪からなることができる。
【００２６】
液密材料の材料ウェブ３は次いで吸収体１の列の上部に置かれる。材料ウェブ３は適用直前に接着ユニット２０を通過し、一対のローラ２１の助けで、吸収体１の外側にある部分において材料ウェブ２に固定される。もし適切なら、材料ウェブ３はまた、各吸収体１の後側に固定される。弾性糸又は弾性バンド２２はウェブ２と３の間の供給ユニット（図示せず）の助けで挿入され、一対のローラ２１の助けでこれらに固定される。横方向の弾性要素、腰弾性体はまた、ウェブ２と３の間に適用された後、これらが一対のローラ２１を通過することが好都合である。明瞭のため、この弾性体は図に示されない。上記の製造段階は従来のものであり、当業者に良く知られていることが注意されるべきである。
【００２７】
連続おむつパンツブランクの組み合わされたウェブ１，２，３は次いで第一ユニット２２を通って走行し、そこで前側部パネル１０は各おむつパンツブランクの前部分に適用される。各前側部パネル１０は二つの部分１２，１３からなり、それらは図３及び４を参照して記載される接続１４（図１及び２に示されず）によって互いに接続される。ユニット２２は連続おむつパンツブランクのウェブの両側上で、矩形前側部パネル１０をこれらの貯蔵場所から送出し、次いでこれらを固定するような方法で配置されることができるか、又はユニットは矩形側部パネルを貯蔵ローラから分離し、次いでこれらを送出し、それらを連続おむつパンツブランクのウェブに固定するように配置されることもできる。側部パネルは接着剤結合又は溶接によって取り付けられ、ユニット２２はまた、接着剤結合の場合には接着ユニット及びスタンプなどを含み、溶接の場合には溶接装置、例えば超音波溶接装置を含む。図１では、前側部パネル１０はローラ２３からカウンターローラ２４へ輸送され、そして超音波溶接装置２５に移動し、そこで前側部パネル１０はカバーシート２，３においてしっかりと溶接される。もし適切なら、溶接装置は吸収体１の外側にある部分において互いにカバーシート２，３を固定するために配置されることもでき、その場合において接着ユニット２０は省略されることができる。
【００２８】
連続おむつパンツブランクのウェブは次いで後側部パネル１１が各おむつパンツブランクの後部分に適用されるユニット２６に移動する。ユニット２６はユニット２２と同じように設計されている。
【００２９】
もちろん加工ラインにおいてユニット２２及び２６の位置を切り替えることによって側部パネル１０及び１１を逆の順に適用することができる。
【００３０】
側部パネルの適用後、連続おむつパンツブランクのウェブは切断装置２２を通って走行し、そこでは脚切欠きが形成され、次いでブレードローラ２８を通り、そこでウェブは個々のおむつパンツブランクに分割される。本発明によるおむつパンツの図示例では、脚開口の部分は側部パネル８，９に含まれる。もちろん、特におむつパンツが脚開口に含まれる側部パネルの部分がまっすぐになることができるように設計されるなら、側部パネルの適用前に連続おむつパンツブランクのウェブにおいて脚開口を切り出すことができる。矩形側部パネルの代わりに、もちろん脚くぼみを有する側部パネルを適用することもできる。しかしながら、これは側部パネルの適用のための精度条件をかなり増加するため好ましくない。それゆえ、脚くぼみは側部パネルが連続おむつパンツブランクのウェブに固定された後に切り出されることが好ましい。示された例では、脚くぼみ及び個々のおむつパンツブランクの切断は二つの別個の工程で行われるが、脚開口を切断するため及び連続おむつパンツブランクのウェブを個々のおむつパンツブランクに分割するために同じブレードローラを使用することができる。
【００３１】
連続おむつパンツブランクのウェブの分割後、個々のおむつパンツブランクはガイド配置（図示せず）、例えばガイドレール及び吸引コンベヤを介して折りたたみ装置２９に供給される。示された例では、装置２９は一対のローラ３０、及び往復運動を実行し、おむつパンツブランクがニップに位置されるときにおむつパンツブランクの股部分をローラ対のニップ３０中に駆動する部材３１を含む。このようにして、おむつパンツブランクは前縁が後縁と水平に位置されるように二重に折りたたまれる。
【００３２】
折りたたみ装置２９を去った後、二重に折りたたまれたおむつパンツブランクは超音波ホーン３２及びカウンターローラ３３を含む超音波溶接装置３１を通って走行し、そこでは互いに対して折りたたまれた前及び後側部パネルの縁は一緒に接合される。
【００３３】
完成したおむつパンツは次いで包装装置（図示せず）に供給される。
【００３４】
図５及び６はおむつパンツの製造のための配置の第二例を示し、その配置は、主に二つの隣接おむつパンツブランクの前及び後側部パネル１０′，１１′が加工ラインで一片で配置され、連続おむつパンツブランクのウェブの分割時に分割される点で図１及び２に示された配置とは異なる。図１及び２における配置の対応する構成要素と同様の図５及び６に示された配置の構成要素はプライム符号を付加して同じ参照符号を与えられている。
【００３５】
二つの隣接おむつパンツブランクの前及び後側部パネル１０′，１１′を一片で配置することができるための前提条件は隣接おむつパンツブランクの前及び後部分が互いの方へ向けられることである。この目的のため、マット形成車輪の成形体はマット形成車輪を去る吸収体が互いの方へ向けられた前端及び後端を有するように設計されることが好都合である。もしこれが当てはまらないなら、マット形成車輪からの輸送は吸収体が輸送車輪１９上に置かれる前に一つおきの吸収体が１８０°回転されるような方法で行われる。吸収体１′は次いで互いの方へ向けられた隣接吸収体の前部分及び後部分を伴って列で材料ウェブ２′上に置かれる。互いの方へ向けられるおむつパンツブランクの前及び後部分の結果は、折りたたみ装置２９′を去った後、前及び後部分が二重に折りたたまれたおむつパンツブランクの最上部に交互に位置されることである。そうでなければ、図５及び６に示された配置は図１及び２に示された配置と同じように機能する。
【００３６】
記載された例では、液密材料のウェブ３，３′は吸収体が液体透過性材料のウェブ２，２′の上に置かれた後に液体透過性材料のウェブ２，２′の上に置かれる。もちろん、吸収体が液密材料のウェブ上に置かれ、液体透過性材料のウェブが最後に適用されるようにウェブを切り替えることができる。
【００３７】
記載された例では、側部パネルは横方向に同じ範囲を有し、それはおむつパンツブランクが横軸のまわりに折りたたまれた後にそれらの側縁が互いに同じ高さにあることを意味する。もちろん側部パネルに横方向に異なる範囲を与えること、及び側部パネルが互いに固定される前に側部パネルの縁が互いに重なるように最大横方向の範囲を有する側部パネルを他のパネルを横切って折りたたむことができる。
【００３８】
脱着可能及び再封止可能に接続された二つの部分の側部パネルが封止された状態で連続おむつパンツブランクのウェブに適用されることによって、側部パネルを連続おむつパンツブランクのウェブ上に配置するときの精度条件は封止の雄及び雌要素を含む部分が個々に適用される状況と比較すると低下される。なぜならば側部パネルの所望の位置からの例えば縦方向の偏りは再封止可能な接続に含まれる部分の相互位置のオフセットを伴わないからである。側部パネルの自由端がおむつパンツの外部カバーに固定された雌要素と相互作用することを意図される雄要素を含む側部パネルがこのような偏りを有する場合には、固定配置の雄及び雌要素は互いに対してオフセットされるだろう。これは、接続の開放に対する抵抗が意図されるより小さく、おむつパンツが魅力的でない外観を有し、もし開放後の雄及び雌要素が一緒に接合されてそれらが互いに完全に重なるなら、開放及び再封止後の適合が意図したほどよくないことを意味する。それゆえ、この方法では側部パネルの適用時の縦方向のより大きな偏りは従来公知の方法におけるより許容されることができる。
【００３９】
隣接おむつパンツブランクの前及び後部分が互いの方に向けられるというおむつパンツブランクの配置はまた、二つの側部パネルが一片で配置され、次いで個々のおむつパンツブランクの切断と関連した直線の切断によって分割されることができることを意味する。これは側部パネルの腰縁及び吸収体を含有するおむつパンツの部分が常に同じレベルであるということを確実にする。それは個々の側部パネルの適用時に達成することは困難である。一つのおむつパンツブランクの前部分が最も近い先導するおむつパンツブランクの後部分の方に向けられるように前部分が同じ方向に向けられる連続おむつパンツブランクのウェブでは、後部分の部分が前部分で終わらないか又は前部分の部分が後部分で終わることを確実とするように直線切断によってウェブを個々のおむつパンツブランクに分割するときに極めて大きな精度が必要とされることが注意されるべきである。もし前及び後部分が同じ幅及び同じ材料組成を有するなら、これは大きな効果を全く持たないが、もしこれらの部分が異なる幅又は異なる材料組成を有するなら、切断が正確に正しい場所に作られることを確実にすることがもちろん重要である。図１及び２を参照して記載された方法では、隣接おむつパンツブランクの前及び後側部パネルは互いからわずかな距離で置かれ、かくして連続おむつパンツブランクは前及び後側部パネルの部分がウェブの分割後に間違ったおむつパンツブランクに含まれる危険なしで分割されることができる。これの結果は内部及び外部カバーシートが図１及び２に記載された方法によって製造されるおむつパンツの側部パネルを越えてわずかに延びることである。図５及び６を参照して記載された方法によって、側部パネルの分割はおむつパンツブランクのウェブの分割と同期して行われる。側部パネルの位置決定のための許容度はそれによって増大され、同時に分割切断の位置は各前部分のための別個の側部パネルが適用される方法と比較すると精度をあまり要求されない。
【００４０】
さらに、子供がいたずらできない接続は大きな注意と精度で作られることができる。なぜならばこれは実際のおむつの製造前に製造工程でなされるからである。従って、最適なウェブスピードを使用することができ、それはおむつ製造のための加工ラインに通常適するウェブスピードよりかなり遅くすることができる。もしウェブの幅が十分に大きいなら多数の平行な側部パネルブランクを同時に製造することができる。このようにして、ウェブスピードをあまり高くせずに単位時間あたりに多数の側部パネルを組立てることができる。
【００４１】
記載された方法はもちろん本発明の範囲内で変更することができる。例えば、側部パネル１０，１１は、側部パネルが材料ウェブ２と３の間に配置されかつこれらのウェブの両方に固定されるように、材料ウェブ３が適用される前に材料ウェブ２に適用されることができる。側部パネルはまた、液体透過性内部カバーシートに固定されることもできる。吸収体１はさらなる層で仕上げることができ、かかる層は図１及び２に示された配置に加えられるさらなる輸送又はマット形成車輪によって吸収体１の上に適用される。さらに、液体バリヤーを与えるための部材、いわゆる直立ギャザーをその配置に加えることができる。吸収体は示された以外の形状を持つことができ、例えばそれらは矩形又はＴ形状であることができる。ベルクロ部材以外のタイプの固定要素、例えば子供がいたずらできないようにすることもできる異なるタイプのスナップ嵌合接続を使用することができる。記載された配置に含まれる構成要素は一般におむつ、おむつパンツ及び同種物品の製造に使用されるタイプのものであり、同じ機能を有する他の構成要素に置き換えることができ、例えばブレードローラはパンチ装置で置き換えることができる。それゆえ本発明は添付の特許請求の範囲の内容によってのみ制限される。
【図面の簡単な説明】
【００４２】
【図１】本発明の第一例によるおむつパンツを製造するための配置の側面図を概略的に示す。
【図２】本発明の第一例によるおむつパンツを製造するための配置の平面図を概略的に示す。
【図３】図１及び２による配置で製造されるおむつパンツの概略的透視図を示す。
【図４】図３の線ＩＶ−ＩＶに沿った横断面図を示す。
【図５】本発明の第二例による配置の図１と同様の図を示す。
【図６】本発明の第二例による配置の図２と同様の図を示す。
【図７】接続の子供がいたずらできない性質を試験するための方法の概略図である。
【図１】
2005521475.tif 000003
【図２】
2005521475.tif 000004
【図３】
2005521475.tif 000005
【図４】
2005521475.tif 000006
【図５】
2005521475.tif 000007
【図６】
2005521475.tif 000008
【図７】
2005521475.tif 000009
【国際調査報告】
2005521475.tif 000010
2005521475.tif 000011
2005521475.tif 000012